(57)【要約】      （修正有）【課題】筆記具ケース等にコンパクトに収納しうると共に、持ち運びの際に刃部が開く等の危険性が生じることがなく、且つ複雑な操作をすることなく、簡単に使用形態とすることが可能な携帯用鋏を提供する。【解決手段】一対の刃部１１，１２と、上記一対の刃部の後端部に延設された一対の柄部１３，１４と、上記刃部と上記柄部との間に設けられ、上記一対の刃部を回動可能に軸支する回動軸部と、上記回動軸部に装着され、上記一対の刃部及び柄部を開放方向に付勢する付勢部材１６と、上記一対の刃部を閉じた状態で、上記刃部を収納しうると共に、上記刃部を閉じた状態に保持しうるカバー部とから形成され、上記一対の刃部及び上記柄部を閉じた場合に、棒状となるように構成とする。【選択図】図２
0003161126.tif 000002
【実用新案登録請求の範囲】
【請求項１】
一対の刃部と、
上記一対の刃部の後端部に延設された一対の柄部と、
上記刃部と上記柄部との間に設けられ、上記一対の刃部を回動可能に軸支する回動軸部と、
上記回動軸部に装着され、上記一対の刃部及び柄部を開放方向に付勢する付勢部材と、
上記一対の刃部を閉じた状態で、上記刃部を収納しうると共に、上記刃部を閉じた状態に保持しうるカバー部とから形成され、
上記カバー部を装着した状態で、全体棒状となることを特徴とする携帯用鋏。
【請求項２】
上記一対の柄部は、夫々半円柱状に形成されると共に、上記柄部を閉じた場合に、軸方向に沿って互いに当接する当接面部を備え、
上記カバー部は、上記刃部を収納しうる軸寸法を有する有底円筒形に形成されていることを特徴とする請求項１記載の携帯用鋏。
【請求項３】
一方の上記柄部の当接面部において軸方向に沿って形成され、径方向断面凹字形に形成された溝部と、
他方の上記柄部の当接面部において軸方向に沿って形成され、径方向断面凸字形に形成された突出部とを備え、
上記柄部を閉じた場合に、上記溝部と上記突出部とが互いに係合することを特徴とする請求項２記載の携帯用鋏。
【請求項４】
上記一対の柄部の先端部には、上記柄部よりも細径に形成され、上記カバー部の開口部に嵌合しうる嵌合部が形成されると共に、
上記カバー部の内周面部の開口部近傍には、上記嵌合部を挟持しうる突起部が形成されていることを特徴とする請求項２又は請求項３いずれか１項に記載の携帯用鋏。
【請求項５】
上記柄部の後端部には、クリップ部材が装着されていることを特徴とする請求項１から請求項４いずれか１項に記載の携帯用鋏。
【考案の詳細な説明】
【技術分野】
【０００１】
本考案は、不使用時においては、筆記具と共に筆記具ケース等に収納可能であると共に、使用時においては簡易な操作で、鋏形状となる携帯用鋏に関する。
【背景技術】
【０００２】
日常生活において、鋏の使用頻度は高く、紙材、糸材等、多くの対象物の切断に用いられ、また、外出先での使用に備え、予め鞄等に小型の鋏を携帯する場合もあった。
しかしながら、鋏をそのままの状態で鞄等に収納した場合は、携行時に刃部が開いてしまい、非常に危険であると共に、別途、専用の収納容器に収める場合には、柄部及び把持部が邪魔となることから、非常に嵩張ってしまうという不具合を有していた。
また、収納に適するように、鋏全体を小型化した場合には、柄部若しくは把持部が持ち難くなり、使い難くなるという別途の不具合を有していた。
【０００３】
以上のようなことから、筆記具ケース等にコンパクトに収納することが可能であり、またポケット等に収納した場合であっても携行時に刃部が開く等の危険性が生じない携帯用鋏の提供が強く望まれていた。
【考案の開示】
【考案が解決しようとする課題】
【０００４】
本考案の解決する課題は、上記不具合を解決し、筆記具ケース等にコンパクトに収納しうると共に、持ち運びの際に刃部が開く等の危険性が生じることがなく、且つ複雑な操作をすることなく、簡単に使用形態に復元することが可能な携帯用鋏を提供することにある。
【課題を解決するための手段】
【０００５】
上記課題を解決するために、請求項１の記載の考案に係る携帯用鋏は、一対の刃部と、上記一対の刃部の後端部に延設された一対の柄部と、上記刃部と上記柄部との間に設けられ、上記一対の刃部を回動可能に軸支する回動軸部と、上記回動軸部に装着され、上記一対の刃部及び柄部を開放方向に付勢する付勢部材と、上記一対の刃部を閉じた状態で、上記刃部を収納しうると共に、上記刃部を閉じた状態に保持しうるカバー部とから形成され、上記カバー部を装着した状態で、全体棒状となることを特徴とする。
【０００６】
従って、上記刃部と上記柄部を閉止してカバー部を装着した状態で、棒状となると共に、カバー部を外した場合には、付勢部材の付勢力によって、上記刃部と柄部が自動的に開いて使用形態となる。
【０００７】
また、請求項２の記載の考案に係る携帯用鋏は、上記一対の柄部は、夫々半円柱状に形成されると共に、上記柄部を閉じた場合に、軸方向に沿って互いに当接する当接面部を備え、上記カバー部は、上記刃部を収納しうる軸寸法を有する有底円筒形に形成されていることを特徴とする。
【０００８】
従って、上記刃部と上記柄部を閉止してカバー部を装着した状態で、全体細長円柱状となる。
【０００９】
また、請求項３の考案に係る携帯用鋏は、一方の上記柄部の当接面部において軸方向に沿って形成され、径方向断面凹字形に形成された溝部と、他方の上記柄部の当接面部において軸方向に沿って形成され、径方向断面凸字形に形成された突出部とを備え、上記柄部を閉じた場合に、上記溝部と上記突出部とが互いに係合することを特徴とする。
【００１０】
従って、上記一対の柄部を閉じた状態で、当接面部が滑って、互いにずれてしまうことが無い。
【００１１】
また、請求項４の考案に係る携帯用鋏は、上記一対の柄部の先端部には、上記柄部よりも細径に形成され、上記カバー部の開口部に嵌合しうる嵌合部が形成されると共に、上記カバー部の内周面部の開口部近傍には、上記嵌合部を挟持しうる突起部が形成されていることを特徴とする。
【００１２】
従って、上記カバー部を上記嵌合部に嵌合した場合に、上記突起部によって上記嵌合部が挟持され、嵌合状態が保持される。
【００１３】
また、請求項５の考案に係る携帯用鋏は、上記柄部の後端部には、クリップ部材が装着されていることを特徴とする。
【００１４】
従って、上記クリップ部と上記柄部の間に衣服のポケット部を挟持させることによって、筆記具と同様にポケット部に収納することができる。
【考案の効果】
【００１５】
請求項１の考案にあっては、一対の刃部と、上記一対の刃部の後端部に延設された一対の柄部と、上記刃部と上記柄部との間に設けられ、上記一対の刃部を回動可能に軸支する回動軸部と、上記回動軸部に装着され、上記一対の刃部及び柄部を開放方向に付勢する付勢部材と、上記一対の刃部を閉じた状態で、上記刃部を収納しうると共に、上記刃部を閉じた状態に保持しうるカバー部とから形成され、上記カバー部を装着した状態で、全体棒状となることから、筆記具ケース等にコンパクトに収納しうると共に、持ち運びの際に刃部が開く等の危険性が生じることがなく、且つ複雑な操作をすることなく、簡単に鋏として使用できる形態とすることができる携帯用鋏を提供することができる。
【００１６】
また、請求項２の考案にあっては、上記一対の柄部は、夫々半円柱状に形成されると共に、上記柄部を閉じた場合に、軸方向に沿って互いに当接する当接面部を備え、上記カバー部は、上記刃部を収納しうる軸寸法を有する有底円筒形に形成されていることから、刃部と柄部を閉じて、カバー部を装着することによって、細長円柱状となり、筆記具ケース等に収納する場合に、非筆記具と同様に取り扱うことが可能であり、また筆記具との統一感が高まり、外観品質が向上する。
また、請求項３の考案にあっては、一方の上記柄部の当接面部において軸方向に沿って形成され、径方向断面凹字形に形成された溝部と、他方の上記柄部の当接面部において軸方向に沿って形成され、径方向断面凸字形に形成された突出部とを備え、上記柄部を閉じた場合に、上記溝部と上記突出部とが互いに係合することから、柄部を閉じた状態で、上記柄部の当接面部がずれ難く、より収納し易くなる。
【００１７】
また、請求項４の考案にあっては、上記一対の柄部の先端部には、上記柄部よりも細径に形成され、上記カバー部の開口部に嵌合しうる嵌合部が形成されると共に、上記カバー部の内周面部の開口部近傍には、上記嵌合部を挟持しうる突起部が形成されていることから、カバー部が外れ難く、不用意に刃部が開いくことが無いため、より安全に携帯することができる。
【００１８】
また、請求項５の考案にあっては、上記柄部の後端部には、クリップ部材が装着されていることから、衣類や鞄のポケット部に上記クリップ部材を掛止することによって、ポケット部に収納して安全に持ち運ぶことができる。
【図面の簡単な説明】
【００１９】
【図１】本考案の一実施の形態を示し、実施例の形態における携帯用鋏の、柄部を閉じた状態の（ａ）は背面図、（ｂ）は側面図であり、（ｃ）はカバー部を装着した状態を示す側面図である。
【図２】本考案の一実施の形態を示し、実施例の形態における携帯用鋏の、柄部と刃部を開いた状態を示す線断面図である。
【考案を実施するための最良の形態】
【００２０】
以下図面を用いて本実施例の形態について説明する。
図１（ｂ）に示すように、本実施例に係る携帯用鋏１０は、一対の刃部１１、１２と、上記一対の刃部１１、１２の後端部に延設された一対の柄部１３、１４と、上記刃部１１、１２と上記柄部１３、１４との間に設けられ、上記一対の刃部１１、１２を回動可能に軸支する回動軸部１５と、上記回動軸部１５に装着され、上記一対の刃部１１、１２、及び柄部１３、１４を開放方向に付勢する付勢部材１６とを備え、図１（ｃ）に示すように上記一対の刃部１１、１２を閉じた状態で、上記刃部１１、１２を収納しうる軸寸法を有すると共に、上記刃部１１、１２を閉じた状態に保持しうる、有底円筒形に形成されカバー部１７とから形成されている。
【００２１】
また、図１（ｃ）に示すように、上記一対の柄部１３、１４は、夫々半円柱状に形成されると共に、上記柄部１３、１４を閉じた場合に、軸方向に沿って互いに当接する当接面部１８、１９を備えている。
【００２２】
また、図１（ａ）に示すように、一方の上記柄部１３の当接面部１８には、軸方向に沿って、径方向断面凹字形に形成された溝部２０が形成され、更に、他方の上記柄部１４の当接面部１９には、軸方向に沿って、径方向断面凸字形に形成された突出部２１が形成されている。
【００２３】
また、図１（ｂ）、（ｃ）に示すように上記一対の柄部１３、１４の先端部１３ａ、１３ｂには、上記柄部１３、１４よりも細径に形成され、上記カバー部１７の開口部２２に嵌合しうる嵌合部２３、２４が形成されると共に、上記カバー部の内周面部２５の開口部２２近傍には、上記嵌合部２３、２４を挟持しうる一対の突起部２６、２７が形成されている
【００２４】
また、上記柄部１３の後端部１３ｂには、クリップ部材２８が装着されている。
【実施例１】
【００２５】
本実施例の構成について以下添付図面を引用して詳述する。
図１は本実施例に係る携帯用鋏１０の（ａ）は柄部１３、１４を閉じた状態の背面図、（ｂ）は柄部１３、１４を閉じた状態の側面図であり、（ｃ）はカバー部１７を刃部１１、１２に装着した状態を示す側面図を示している。
図１（ｃ）に示すように、本実施例に係る携帯用鋏１０の柄部１３、１４は、閉じた状態で径寸法約１４ｍｍ、軸寸法約５７ｍｍの円柱状に形成され、上記カバー部１７についても、上記柄部１３、１４と同一の外径寸法約１４ｍｍ、内径寸法約１１軸寸法約６０ｍｍの円筒形に形成されている。
また、上記柄部１３、１４の嵌合部２３、２４は、上記柄部１３．１４を閉じた状態で径寸法約１２ｍｍとなるように形成されている。
また、上記カバー部１７の内径寸法は約１２ｍｍに形成され、突起部２６、２７は、上記カバー部１７の径方向内方に向かって約１ｍｍ突出して形成されている。
【００２６】
一般的な筆記具の径寸法は１０ｍｍから１５ｍｍ程度であることから、本実施例に係る携帯用鋏１０を筆記具ケース等（図示せず）に収納した場合、他の筆記具と並べても違和感がなく、効率的に収納することができる。
【００２７】
また、付勢部材１６は、可撓性を有する一本の金属線から形成され、上記回動軸部１５に巻き回され、両端部１６ａ、１６ｂは、柄部１３、１４の先端部に固定されている。
図２に示すように、上記付勢部材１６が伸延する方向に作用する付勢力によって、上記柄部１３、１４は開放方向に付勢され、上記柄部１３、１４の動作と連動して、刃部１１、１２も開放方向に付勢されている。
【００２８】
従って、上記カバー部１７を外すことによって、上記刃部１１、１２と、上記柄部１３、１４が自動的に開き、直ちに鋏として使用できる形態となり、非常に使い勝手が良い。
【００２９】
また、図１（ａ）、（ｂ）に示すように、クリップ部材２８は平面略Ｕ字形の金属線から形成され、上記カバー部１７に当接して配置され、両端部２８ａ、２８ｂにおいて上記カバー部１７の先端部１７ａに固定されている。
従って、上記クリップ部材２８で上記カバー部１７で、衣服もしくは鞄類のポケット部を挟持することによって、簡単にポケット部に収納することができる。
また、この際カバー部１７によって、刃部１１、１２が収納されると共に、上記カバー部１７の突起部２６、２７によって、上記柄部１３、１４の嵌合部２３、２４が挟持されるため、上記カバー部１７が外れ難く、携行時に、上記刃部１１、１２が不用意に開くことがなく安全性が高い。
【００３０】
なお、本実施例で示した、各部の寸法については、筆記具ケース等への収納が可能である範囲で適宜変更することが可能である。
また、柄部の形状についても、カバー部材が装着可能であれば、円柱形の他、多角柱形状等に適宜変更することが可能である。
【産業上の利用可能性】
【００３１】
本考案は、不使用時においては、筆記具と共に筆記具ケース等に収納可能であると共に、使用時においては簡易な操作で、鋏形状となる携帯用鋏に適用が可能である。
【符号の説明】
【００３２】
１０  携帯用鋏
１１  刃部
１２  刃部
１３  柄部
１３ａ柄部先端
１３ｂ柄部後端
１４  柄部
１４ａ柄部先端
１５  回動軸部
１６  付勢部材
１６ａ付勢部材端部
１６ｂ付勢部材端部
１７  カバー部
１８  当接面部
１９  当接面部
２０  溝部
２１  突出部
２２  カバー部の開口部
２３  嵌合部
２４  嵌合部
２５  カバー部の内周面部
２６  突起部
２７  突起部
２８  クリップ部材
２８ａクリップ部材端部
２８ｂクリップ部材端部
【図１】
0003161126.tif 000003
【図２】
0003161126.tif 000004